(57)【要約】  【課題】本発明は、カラオケボックス等でカラオケ装置の稼働時間が規制される場合の選択楽曲の演奏を管理する時間管理型カラオケシステムに関し、規制されたシステムの利用時間が経過しても演奏中の楽曲を完唱させ、利用者の満足度を向上させることを目的とする。  【解決手段】入金装置３６で受け付けられた入金額に応じて課金処理手段２９がシステムの稼働時間を設定し、システム稼働制御手段３０において最初にシステムの稼働時間が設定されたときにシステム稼働を開始させると共に、時間積算手段３１で利用時間の積算が開始され、積算時間が設定されたシステムの稼働時間に達したときに、演奏状況判定手段４２で楽曲の演奏状況を判定し、演奏されていない場合にはシステム稼働を停止させ、演奏されている場合には当該演奏の終了時にシステム稼働を停止させる構成とする。  【選択図】  図１
2007232886.tif 000002
【特許請求の範囲】
【請求項１】
システム稼働時間を管理して利用者の選択による楽曲を演奏する時間管理型カラオケシステムであって、
利用者がシステム稼働を所定時間要求するための入金を受け付け、金額情報を送出する入金装置と、
前記入金装置からの金額情報を入力し、当該金額に応じたシステムの稼働時間を設定する課金処理手段と、
前記課金処理手段で最初にシステムの稼働時間が設定されたときに利用時間を積算する時間積算手段と、
前記課金処理手段で最初にシステムの稼働時間が設定されたときにシステム稼働を開始し、前記積算時間が上記設定されたシステム稼働時間に達した時点で、前記楽曲が演奏されていないことを判定した場合にはシステム稼働を停止させ、演奏されていることを判定した場合には当該演奏の終了時にシステム稼働を停止させるシステム稼働制御手段と、
を有することを特徴とする時間管理型カラオケシステム。
【請求項２】
請求項１記載の時間管理型カラオケシステムであって、前記課金処理手段は、システム稼働停止前に前記入金装置より新たな入金があった場合に、当該入金額に応じたシステム稼働時間を前記設定されたシステム稼働時間の残り時間に加算して新たなシステム稼働時間を設定して更新することを特徴とする時間管理型カラオケシステム。
【請求項３】
請求項１又は２記載の時間管理型カラオケシステムであって、システム稼働時間の状況を、前記時間積算手段で積算された積算時間、及び前記選択された楽曲の演奏状況との関係で表示させる管理状況表示制御手段を備えることを特徴とする時間管理型カラオケシステム。
【発明の詳細な説明】
【技術分野】
【０００１】
本発明は、カラオケボックス等でカラオケ装置の稼働時間が規制される場合の選択楽曲の演奏を管理する時間管理型カラオケシステムに関する。
【背景技術】
【０００２】
近年、利用者に対してカラオケサービスが提供されるカラオケシステムのなかには、利用者による利用時間の制限、又はカラオケ店舗の営業時間等の関係から時間管理型のものが種々提案されてきている。このような時間管理型のカラオケシステムにおいては、時間規制されていてもカラオケ利用者の満足感を満たす必要がある。
【０００３】
従来、カラオケシステムにおいて、システム利用の時間を要素とする技術が、下記の特許文献で開示されているように種々提案されている。下記特許文献１では、利用者にカラオケ使用時間を入力させ、利用者による楽曲が予約される際に当該使用時間内に予約曲が演奏可能か否かを判定し、判定結果を表示して予約時間内に確実に演奏を終了させることが提案されている。
【０００４】
また、下記特許文献２では、カラオケ装置の利用可能時間内に予約楽曲が演奏されるように、予約楽曲の合計演奏所要時間を算出し、合計演奏所要時間が残り時間を超過する場合に予約されている演奏曲のうちの１以上のものを短縮して演奏させることが提案されている。さらに、下記特許文献３では、カラオケ店での利用時間の残りに対して終了時刻まで予約曲を頭から演奏するか、曲の一部をカットさせて予約曲を全曲演奏するかの判定を行わせることが提案されている。そして、下記特許文献４では、カラオケ装置の利用時間が残り少なくなった場合に、表示装置に表示させ、利用者に優先的に歌いたい曲を選択させることが提案されている。
【０００５】
【特許文献１】特開平０７−０５６５８５号公報
【特許文献２】特開平０９−０６２２８２号公報
【特許文献３】特開平１０−０３９８８５号公報
【特許文献４】特開平１０−１４９１８１号公報
【発明の開示】
【発明が解決しようとする課題】
【０００６】
しかしながら、上記各特許文献での提案は、利用時間の入力や店舗終了によって時間規制されている場合に、当該時間内に予約曲を収めさせたり、時間オーバーとなるときに曲の一部又は全部を間引くというものであり、一曲を完奏できない中途半端な時間が残っても楽曲の全部が演奏されず、利用者にとって不満が残ることになるという問題がある。
【０００７】
そこで、本発明は上記課題に鑑みなされたもので、規制されたシステムの利用時間が経過しても演奏中の楽曲を完唱させ、利用者の満足度を向上させる時間管理型カラオケシステムを提供することを目的とする。
【課題を解決するための手段】
【０００８】
上記課題を解決するために、請求項１の発明では、システム稼働時間を管理して利用者の選択による楽曲を演奏する時間管理型カラオケシステムであって、利用者がシステム稼働を所定時間要求するための入金を受け付け、金額情報を送出する入金装置と、前記入金装置からの金額情報を入力し、当該金額に応じたシステムの稼働時間を設定する課金処理手段と、前記課金処理手段で最初にシステムの稼働時間が設定されたときに利用時間を積算する時間積算手段と、前記課金処理手段で最初にシステムの稼働時間が設定されたときにシステム稼働を開始し、前記積算時間が上記設定されたシステム稼働時間に達した時点で、前記楽曲が演奏されていないことを判定した場合にはシステム稼働を停止させ、演奏されていることを判定した場合には当該演奏の終了時にシステム稼働を停止させるシステム稼働制御手段と、を有する構成とする。
【０００９】
請求項２、３の発明では、「前記課金処理手段は、システム稼働停止前に前記入金装置より新たな入金があった場合に、当該入金額に応じたシステム稼働時間を前記設定されたシステム稼働時間の残り時間に加算して新たなシステム稼働時間を設定して更新する」構成であり、
「システム稼働時間の状況を、前記時間積算手段で積算された積算時間、及び前記選択された楽曲の演奏状況との関係で表示させる管理状況表示制御手段を備える」構成である。
【発明の効果】
【００１０】
本発明によれば、入金装置で受け付けられた入金額に応じたシステムの稼働時間が設定され、最初にシステムの稼働時間が設定されたときにシステム稼働が開始されると共に、利用時間の積算が開始され、積算時間が設定されたシステムの稼働時間に達したときに、楽曲が演奏されていない場合にはシステム稼働を停止させ、演奏されている場合には当該演奏の終了時にシステム稼働を停止させる構成とすることにより、設定されたシステム稼働時間が過ぎても演奏中の楽曲が終了するまでシステム稼働が停止されないことから、規制されたシステムの利用時間が経過しても演奏中の楽曲を完唱させることができ、利用者の満足度を向上させることができるものである。
【発明を実施するための最良の形態】
【００１１】
以下、本発明の最良の実施形態を図により説明する。本実施形態で示す時間管理型カラオケシステムは、有人のカラオケ施設に限らず、特に無人管理のカラオケボックス等で構築されることが好適である。
【００１２】
図１に、本発明に係る時間管理型カラオケシステムのブロック構成図を示す。図１において、時間管理型カラオケシステム１１は、システム稼働時間を管理して利用者の選択による楽曲を演奏するものとしてカラオケ装置１２を主要装置として備える。当該カラオケ装置１２は、バス２１、楽曲ＤＢ（楽曲データベース）２２、制御手段２３、ＲＡＭ２４、予約管理手段２５、音楽曲出力手段２６、再生制御手段２７、楽曲検索手段２８、課金処理手段２９、システム稼働制御手段３０、時間積算手段３１及び管理状況表示制御手段３０を備える。
【００１３】
また、上記カラオケ装置１２に有線及び無線で外部接続されるものとして、表示手段３３、ミキシングアンプ３４、マイク３５、スピーカ３６、楽曲選択入力手段３７及び入金装置３８を備える。そして、上記システム稼働制御手段３０は、設定時間取得手段４１及び演奏状況判定手段４２を備えるものである。なお、上記各構成について、本発明の要旨と直接関連しない要素部分であっても、従前のカラオケ装置においても大部分が適用可能であることを示すために、装置全体を説明する。
【００１４】
上記楽曲ＤＢ２２は、例えばハードディスク（ＨＤＤ）等の記憶装置であり、少なくとも、演奏データ（ファイル）及びテロップデータ（ファイル）で構成される楽曲データ（ファイル）について楽曲コードをファイル名としてそれぞれ備える。演奏データ（ファイル）はそれぞれの楽曲の演奏をデジタル的なデータであり、テロップデータ（ファイル）は演奏データに対応した楽曲の歌詞文字データである。
【００１５】
上記制御手段２３は、このシステムを統括的に制御するもので、例えば物理的なＣＰＵに制御のためのプログラムが格納され、当該プログラムを備える。当該ＲＡＭ２４は、種々のプログラムを展開、実行させるための作業領域としての役割をするものであり、例えば半導体メモリで構成され、仮想的にハードディスク上に構築される場合をも含む概念である。
【００１６】
上記予約管理手段２５は、利用者が選択した楽曲名と対応する楽曲コードを記憶しておき、順番に歌唱対象とするもので、そのためのメモリ領域を備え、当該メモリ領域に記憶されるデータは上記制御手段３２により制御される。すなわち、選択された楽曲コードにより上記楽曲ＤＢ２２より曲名やインデックス等を読み出して記憶させておくもので、予約状況を表示させるときには曲名をも含められる。
【００１７】
上記楽曲出力手段２６は、楽曲コードで楽曲ＤＢ２２より抽出された演奏データをデジタル再生し、アナログ変換してミキシングアンプ３４に出力するもので、そのためのプログラムを備える。当該ミキシングアンプ３４は、マイク３５より入力した歌唱者の歌唱音声と、当該楽曲出力手段２６より送られてくる演奏データをミキシングし、増幅してスピーカ３６より出力させるものである。
【００１８】
上記再生制御手段２７は、選択されて楽曲ＤＢ２２より抽出された楽曲データのうちのテロップデータ（歌詞文字データ）を当該楽曲の演奏データに同期させて表示手段３３に出力するもので、そのための電子回路及びプログラムを備える。当該表示手段３３としては例えば、ブラウン管（ＣＲＴ）ディスプレイ、液晶ディスプレイ（ＬＣＤ）、プラズマディスプレイ（ＰＤＰ）等がある。
【００１９】
上記楽曲検索手段２８は、例えば新曲、歌手名、曲名、ジャンルおよび履歴のそれぞれについての各楽曲情報を備え、当該楽曲名と楽曲コードとが関連付けられたテーブルを備え、利用者による上記楽曲選択入力手段３７によって検索、選択された楽曲コードを、予約管理手段２５に送出して予約させるもので、そのためのプログラムを備える。当該楽曲選択入力手段３７は、利用者が楽曲を選択し、適宜予約するための入力ボタン等を備える。
【００２０】
上記課金処理手段２９は、入金装置３８から金額情報を入力し、当該金額に応じたシステムの稼働時間を設定して後述のシステム稼働制御手段３０に送出するものであると共に、ここでは、適宜システム稼働停止前に入金装置３８より新たな入金があった場合に、当該入金額に応じたシステム稼働時間を設定されたシステム稼働時間の残り時間に加算して新たなシステム稼働時間を設定して更新するもので、そのためのプログラムを備える。当該入金装置３８は、利用者がシステム稼働を所定時間要求するための入金を受け付ける機構であり、投入金額の表示や、投入金額の決定ボタン等が備えられ、当該決定ボタンにより当該投入金額の金額情報を課金処理手段２９に送出するものである。
【００２１】
システム稼働制御手段３０は、上記のように設定時間取得手段４１及び演奏状況判定手段４２を備える。設定時間取得手段４１は、上記課金処理手段２９で設定されたシステム稼働時間の情報を記憶する記憶手段である。また、上記演奏状況判定手段４２は、後述の時間積算手段３１で積算された積算時間が、設定時間取得手段４１で記憶された上記課金処理手段２９で設定されたシステムの稼働時間に達したときに、楽曲が演奏されているか否かを、例えば上記音楽曲出力手段２６の演奏出力状況で判定するもので、そのためのプログラムを備える。
【００２２】
すなわち、システム稼働制御手段３０は、課金処理手段２９で最初にシステムの稼働時間が設定されたときにシステム稼働を開始させ、後述の時間積算手段３１で積算されている積算時間と設定時間取得手段４１で記憶されているシステムの稼働時間を常に監視し、当該積算時間が上記設定時間取得手段４１に記憶された上記設定されたシステム稼働時間に達した時点で、演奏状況判定手段４２において楽曲が演奏されているか否かを判定させ、演奏されていないことを判定した場合にはシステム稼働を停止させ、演奏されていることを判定した場合には当該演奏の終了時にシステム稼働を停止させるものである。システムの稼働開始及び稼働停止は、例えば図示しない当該カラオケ装置１２の電源を管理制御することで実行できる。
【００２３】
上記時間積算手段３１は、課金処理手段２９で最初にシステムの稼働時間が設定されたときに利用時間の積算を開始するいわゆるタイマーであり、そのための電子回路を備える。当該時間積算手段３１の積算は、システム稼働が停止されるまで続けられる。
【００２４】
そして、上記管理状況表示制御手段３２は、適宜備えられ、システム稼働時間の状況を、時間積算手段３１での積算時間、及び選択された楽曲の演奏状況との関係で上記再生制御手段２７を介して表示手段３３で表示させるもので、そのためのプログラムを備える。例えば、表示手段３３の隅部分に残り時間や、残り時間内で歌唱可能な楽曲の一覧等である。
【００２５】
なお、図示しないが、当該カラオケ装置１２には演奏楽曲、歌唱音声に対する種々の調節を行うボタンやツマミ類が可変抵抗器等の電子素子に直結された操作パネルも接続され、当該操作パネルはエコーや左右バランス、スピーカ３６からの出力音量のボリウム等を備えるものである。
【００２６】
そこで、図２に、図１における課金処理手段の処理フローチャートを示す。図２（Ａ）は最初のシステム稼働に対する課金処理のフローチャートであり、図２（Ｂ）はシステム稼働中に入金があった場合の課金処理のフローチャートである。ここでは、利用者が入金装置３８に所定金額を投入して例えば決定ボタンを押すことによって、当該入金装置３８が課金処理手段２９に当該投入金額の金額情報を送出することを前提としている。図２（Ａ）に示すように、課金処理手段２９では、金額情報を入力すると（ステップ（Ｓ１））、当該金額情報に基づいて入金額を一旦記憶する（Ｓ２）。そして、当該金額に応じたシステムの稼働時間を設定してシステム稼働制御手段３０（設置時間取得手段４１）に送出するものである（Ｓ３）。例えば、５００円につき１時間と設定する場合である。
【００２７】
一方、システム稼働中に利用者より入金があった場合、図２（Ｂ）に示すように、課金処理手段２９では、まず金額情報を入力し（Ｓ１１）、このときにシステムが稼働中であるか否かを判別する（Ｓ１２）。稼働中でなければ、当該処理を終了して図２（Ａ）の処理Ｓ２及びＳ３を行う。システムが稼働中の場合（Ｓ１２）、システム稼働停止前に入金装置３８より新たな入金があったものとして、当該入金額に応じたシステム稼働時間を、設定されたシステム稼働時間の残り時間に加算して新たなシステム稼働時間を設定して更新してシステム稼働制御手段３０（設置時間取得手段４１）に送出するものである（Ｓ１３）。
【００２８】
続いて、図３に図１におけるシステム稼働制御手段の処理フローチャートを示すと共に、図４に図３のシステム稼働制御手段における処理説明図を示す。図３において、システム稼働制御手段３０は、課金処理手段２９より設定されたシステムの稼働時間の情報を入力すると（Ｓ２１）、当該システム稼働時間（利用時間）を設定時間取得手段４１に記憶し、システム稼働制御手段３０がシステム稼働を開始させると共に、時間積算手段３１が利用時間の積算を開始する（Ｓ２２）。そこで、管理状況表示制御手段３２が、例えば、残り時間や残り時間内で歌唱可能な楽曲の一覧等のシステム稼働状況の情報を随時再生制御手段２７に送出することによって表示手段３３で表示させる（Ｓ２３）。
【００２９】
時間積算手段３１は、システム稼働より時間を積算しており、システム稼働制御手段３０において上記時間積算手段３１で積算されている積算時間と設定時間取得手段４１で記憶されているシステムの稼働時間を常に監視する。そして、当該積算時間が上記設定時間取得手段４１に記憶された上記設定されたシステム稼働時間に達すると（Ｓ２４）、演奏状況判定手段４２がこの時点で楽曲が演奏されているか否かを判定する（Ｓ２５）。
【００３０】
当該演奏状況判定手段４２において、楽曲が演奏されていないことを判定した場合には（Ｓ２５）、図４（Ａ）に示すように、システム稼働を停止（稼働停止Ａ）させる（Ｓ２７）。一方、当該演奏状況判定手段４２において、楽曲が演奏されていると判定した場合には（Ｓ２５）、図４（Ｂ）に示すように、当該演奏が終了するのを待ち（Ｓ２６）、当該演奏の終了時にシステム稼働を停止（稼働停止Ｂ）させるものである（Ｓ２７）。
【００３１】
このように、設定されたシステム稼働時間が過ぎても演奏中の楽曲が終了するまでシステム稼働が停止されないことから、規制されたシステムの利用時間が経過しても演奏中の楽曲を完唱させることができ、利用者の満足度を向上させることができるものである。すなわち、このような課金システムのカラオケシステムは、１曲から複数曲の選曲の度に利用者に入金させる煩雑さがなく、時間の都合のある利用者が気軽に利用できるというカラオケシステム利用を喚起させることができるものであり、その際に時間管理であっても設定されたシステムの稼働時間の範囲内であれば楽曲の演奏時間に拘わらず選曲や予約が拒否されることもなく、また、稼働時間経過で演奏が途切れることなく最後まで利用者が完唱することができ、満足度を向上させることができるものである。
【産業上の利用可能性】
【００３２】
本発明の時間管理型カラオケシステムは、カラオケボックス等で課金による稼働時間を規制させる場合に適し、無人管理のカラオケボックス等に適する。
【図面の簡単な説明】
【００３３】
【図１】本発明に係る時間管理型カラオケシステムのブロック構成図である。
【図２】図１における課金処理手段の処理フローチャートである。
【図３】図１におけるシステム稼働制御手段の処理フローチャートである。
【図４】図３のシステム稼働制御手段における処理説明図である。
【符号の説明】
【００３４】
１１            時間管理型カラオケシステム
１２            カラオケ装置
２９            課金処理手段
３０            システム稼働制御手段
３１            時間積算手段
３２            管理状況表示制御手段
３８            入金装置
４１            設定時間取得手段
４２            演奏状況判定手段
【図１】
2007232886.tif 000003
【図２】
2007232886.tif 000004
【図３】
2007232886.tif 000005
【図４】
2007232886.tif 000006